(57)【要約】【課題】ロール紙の外形が大きくなることで生じる上側方向への空間の拡張をなくし、しかもロール紙ホルダへのロール紙の装着性を向上させるものである。【解決手段】ハウジングの外部に配置され、このハウジングの給紙口に供給されるロール紙と、前記ハウジングの給紙口から離間して設けられ、ロール紙の回転軸が鉛直方向に位置して前記ロール紙を回転自在に保持するロール紙ホルダと、前記ロール紙ホルダと前記ハウジングの給紙口との間に配置され、前記ロール紙ホルダからのロール紙を前記ハウジングの給紙口に平行となるようロール紙の向きを変更してガイドするロール紙ガイド部材とで構成される。【選択図】図１
2012166940.tif 000002
【特許請求の範囲】
【請求項１】
ハウジングの外部に配置され、このハウジングの給紙口に供給されるロール紙と、
前記ハウジングの給紙口から離間して設けられ、ロール紙の回転軸が鉛直方向に位置して前記ロール紙を回転自在に保持するロール紙ホルダと、
前記ロール紙ホルダと前記ハウジングの給紙口との間に配置され、前記ロール紙ホルダからのロール紙を前記ハウジングの給紙口に平行となるようロール紙の向きを変更してガイドするロール紙ガイド部材と、
を備えるプリンタのロール紙保持装置。
【請求項２】
前記ロール紙ガイド部材は、一対の保持部に回動自在に保持されたローラであることを特徴とする請求項１記載のプリンタのロール紙保持装置。
【請求項３】
ハウジングの内部に形成され給紙口から排紙口に連なる通紙経路と、
前記通紙経路に設けられた印字部と、
前記ハウジングの外部に配置され、このハウジングの給紙口に供給されるロール紙と、
前記ハウジングの給紙口から離間して設けられ、ロール紙の回転軸が鉛直方向に位置して前記ロール紙を回転自在に保持するロール紙ホルダと、
前記ロール紙ホルダと前記ハウジングの給紙口との間に配置され、前記ロール紙ホルダからのロール紙を前記ハウジングの給紙口に平行となるようロール紙の向きを変更してガイドするロール紙ガイド部材と、
を備えるプリンタ。
【請求項４】
前記ロール紙ガイド部材は、一対の保持部に回動自在に保持されたローラであることを特徴とする請求項３記載のプリンタ。
【発明の詳細な説明】
【技術分野】
【０００１】
本発明の実施形態はプリンタのロール紙保持装置およびプリンタに関する。
【背景技術】
【０００２】
従来、プリンタのロール紙保持装置として、プリンタで使用されるロール紙の外形がハウジング内の用紙収納部のサイズを越えて使用する場合、ハウジングの外側にオプションのロール紙ホルダを装着してプリンタにロール紙を供給するものが知られている。
【先行技術文献】
【特許文献】
【０００３】
【特許文献１】特開２００５−２３１１８０号公報
【発明の概要】
【発明が解決しようとする課題】
【０００４】
しかしながら、このようなロール紙ホルダでは、ロール紙の回転軸はプリンタの印字面、即ちハウジングに形成した給紙口と水平になるように置かれている。このような設置形態では、ロール紙ホルダに装着するロール紙の外形が大きくなるほど、設置場所において上下方向の空間にロール紙の外形サイズ分の空間を必要とし、さらに、ロール紙を装着させるときに必要な空間（最低でもロール紙の直径分の空間）も確保しておかなければならない。上側方向の空間に制約があるところでは、この種のロール紙ホルダは使い勝手が悪いものとなっていた。
【０００５】
そこで、本発明が解決しようとする課題は、ロール紙の外形が大きくなることで生じる上側方向への空間の拡張をなくし、しかもロール紙ホルダへのロール紙の装着性を向上させるものである。
【課題を解決するための手段】
【０００６】
本発明の実施形態におけるプリンタのロール紙保持装置は、ハウジングの外部に配置され、このハウジングの給紙口に供給されるロール紙と、前記ハウジングの給紙口から離間して設けられ、ロール紙の回転軸が鉛直方向に位置して前記ロール紙を回転自在に保持するロール紙ホルダと、前記ロール紙ホルダと前記ハウジングの給紙口との間に配置され、前記ロール紙ホルダからのロール紙を前記ハウジングの給紙口に平行となるようロール紙の向きを変更してガイドするロール紙ガイド部材とを備える。
【０００７】
また、本発明の実施形態におけるプリンタは、ハウジングの内部に形成され給紙口から排紙口に連なる通紙経路と、前記通紙経路に設けられた印字部と、前記ハウジングの外部に配置され、このハウジングの給紙口に供給されるロール紙と、前記ハウジングの給紙口から離間して設けられ、ロール紙の回転軸が鉛直方向に位置して前記ロール紙を回転自在に保持するロール紙ホルダと、前記ロール紙ホルダと前記ハウジングの給紙口との間に配置され、前記ロール紙ホルダからのロール紙を前記ハウジングの給紙口に平行となるようロール紙の向きを変更してガイドするロール紙ガイド部材とを備える。
【図面の簡単な説明】
【０００８】
【図１】実施形態にかかるプリンタを概略的に示す縦断側面図。
【図２】実施形態にかかるプリンタの平面図。
【図３】実施形態にかかるプリンタを背面側から見た斜視図。
【発明を実施するための形態】
【０００９】
以下に添付図面を参照して、実施形態にかかるプリンタのロール紙保持装置およびプリンタの詳細を説明する。以下では、プリンタのロール紙保持装置としてラベルプリンタへの適用例を説明する。
【００１０】
図１は、実施形態にかかるプリンタを概略的に示す縦断側面図である。図１に示すように、ラベルプリンタ１は、ハウジング２と、このハウジング２の外側に配置されるロール紙保持装置３等から構成されている。そして、このロール紙保持装置３は、ロール紙ホルダベース４と、このロール紙ホルダベース４に設けられたロール紙ホルダ５と、このロール紙ホルダ５に保持されたロール紙６と、ロール紙ホルダベース４に設けられたロール紙ガイド部材７等から構成されている。
【００１１】
本実施形態のラベルプリンタ１は、ロール紙ホルダ５に保持されたロール紙６をハウジング２の内部に引き込み、引き込んだロール紙６に対してハウジング２の内部に設けられた印字部８によって所定事項を印字する。本実施形態では、ロール紙６として、連続紙がロール状に巻回されたラベル用紙又はタグ用紙が用いられる。
【００１２】
ハウジング２の内部には、給紙口９から排紙口１０に連なる通紙経路１１が形成されており、この通紙経路１１には、給紙口９側に一対の給紙ローラ１２と、排紙口１０側に一対の排紙ローラ１３とがそれぞれ設けられ、ロール紙６は給紙口９から通紙経路１１に引き込まれ、排紙口１０から排紙されるように案内される。
【００１３】
こうしてロール紙６を案内する通紙経路１１には、一対の給紙ローラ１２と一対の排紙ローラ１３との間に位置して、印字部８が設けられている。印字部８は、図示しないステッピングモータによって回転駆動される回転自在なプラテン１４と、このプラテン１４に通紙経路１１を介して当接するサーマルヘッド１５等から構成されている。サーマルヘッド１５は、プラテン１４と平行に配置された支軸に回動自在に支持され、図示しないスプリングによってサーマルヘッド１５がプラテン１４に押し付けられる方向に付勢されている。そして、印字部８による印字済みのロール紙６は、通紙経路１１において印字部８の下流位置に配置されたカッタユニット１６によって適宜な長さに切断されラベルを発行する。
【００１４】
図２は、実施形態にかかるプリンタの平面図であり、図３は、実施形態にかかるプリンタを背面側から見た斜視図である。図２および図３に示すように、ロール紙保持装置３は、ロール紙ホルダベース４の一方の端部がハウジング２の給紙口９側の外壁に係合して、ハウジング２に固定されている。そして、ロール紙ホルダベース４の他方の端部には、ロール紙６の回転軸を鉛直方向に位置して回転自在に保持するロール紙ホルダ５が設けられている。このロール紙ホルダ５に対して、ロール紙６の装着方向および脱着方向は横方向（即ち、水平方向）からの出し入れとなり、装着動作および脱着動作は非常にやり易く簡単である。そして、ロール紙ホルダベース４上でロール紙ホルダ５とハウジング２の給紙口９との間に位置して、ロール紙ホルダ５からのロール紙6をハウジング２の給紙口９に平行となるようロール紙６の向きを変更してガイドするロール紙ガイド部材７が設けられている。このロール紙ガイド部材７は一対の保持部１７、１７と、この保持部１７、１７に回動自在に保持されたローラ１８とで構成されている。
【００１５】
次に、本件実施形態のラベルプリンタ１におけるロール紙６の紙送り動作について説明する。ロール紙ホルダ５に回転軸を鉛直方向に位置して保持されたロール紙６は、ロール紙ガイド部材７のローラ１８により、ハウジング２の給紙口９に対して平行となるようにロール紙６の向きを略９０度変更されて、この給紙口９からハウジング２の内部に引き込まれ、印字部８による印字終了後、排紙口１０から排紙される。なお、ロール紙６は、プラテン１４がステッピングモータにより回転駆動されることにより、給紙口９から引き込まれ通紙経路１１に沿って案内される。
【００１６】
上記の実施形態をとれば、ハウジングの外部に配置され、このハウジングの給紙口に供給されるロール紙は、ロール紙の回転軸が鉛直方向に位置してロール紙ホルダに回転自在に保持されている。したがって、ロール紙の外形が大きくなることで生じる上側方向への空間の拡張をなくし、しかもロール紙ホルダへのロール紙の装着性を向上させるものである。
【００１７】
なお、本発明の実施形態を説明したが、実施形態は例として提示したものであり、発明の範囲を限定することは意図していない。実施形態は、その他の様々な形態で実施されることが可能であり、発明の趣旨を逸脱しない範囲で、種々の省略、置き換え、変更を行うことができる。
【符号の説明】
【００１８】
１        ラベルプリンタ（プリンタ）
２        ハウジング
３        ロール紙保持装置
５        ロール紙ホルダ
６        ロール紙
７        ロール紙ガイド部材
８        印字部
９        給紙口
１０      排紙口
１１      通紙経路
【図１】
2012166940.tif 000003
【図２】
2012166940.tif 000004
【図３】
2012166940.tif 000005